(57)【要約】【課題】ロック棒が扉から突出した状態で搬送する際、ロック棒の先端が地面などに接触しても大きな衝撃が加わることなく、部品が損傷することのない扉のロック装置を提供する。【解決手段】観音開き式扉３，４の先に閉じられる一方の扉３の回動枢支側とは反対側の端面の手の届く高さ位置に設けられる本体操作部５と、この本体操作部５に上下方向に昇降自在に取り付けられたスライド金具６と、一方の扉３の上端内側に位置する匚状のアングル７に上下方向に昇降自在に支持され前記アングル７内に設けられたコイルばね８により上向きに付勢されるロック棒９と、このロック棒９と前記スライド金具６の上端を繋ぐワイヤー１０とから構成される。【選択図】図３
2007327243.tif 000002
【特許請求の範囲】
【請求項１】
収納ボックスの前面開口部を開閉する観音開き式扉の先に閉じられる一方の扉の回動枢支側とは反対側の端面に埋め込まれる扉のロック装置で、この扉のロック装置は一方の扉の手の届く高さ位置に設けられる本体操作部と、この本体操作部に上下方向に昇降自在に取り付けられたスライド金具と、一方の扉の上端もしくは下端内側位置に設けられるアングルに上下方向に昇降自在に支持され前記アングル内に設けられたコイルばねにより上向きもしくは下向きに付勢されるロック棒と、このロック棒と前記スライド金具の上端もしくは下端を繋ぐワイヤーとから構成され、前記本体操作部にはロック棒を下降もしくは上昇させるべくスライド金具を下動もしくは上動させた状態においてスライド金具の動きを止める押しボタンを備え、この押しボタンを押すことによりスライド金具の停止保持が解除されるように構成したことを特徴とする扉のロック装置。
【請求項２】
収納ボックスの前面開口部を開閉する観音開き式扉の先に閉じられる一方の扉の回動枢支側とは反対側の端面に埋め込まれる扉のロック装置で、この扉のロック装置は一方の扉の手の届く高さ位置に設けられる本体操作部と、この本体操作部に上下方向に昇降自在に取り付けられたスライド金具と、一方の扉の上端もしくは下端内側位置に設けられるアングルに上下方向に昇降自在に支持され前記アングル内に設けられたコイルばねにより上向きもしくは下向きに付勢されるロック棒とから構成され、このロック棒の下端もしくは上端をスライド金具の上端もしくは下端に対して摺動自在に貫通させ、このロック棒の下端に抜け止め手段を設け、前記本体操作部にはロック棒を下降もしくは上昇させるべくスライド金具を下動もしくは上動させた状態においてスライド金具の動きを止める押しボタンを備え、この押しボタンを押すことによりスライド金具の停止保持が解除されるように構成したことを特徴とする扉のロック装置。
【発明の詳細な説明】
【技術分野】
【０００１】
本発明は、扉のロック装置に関するものである。
【背景技術】
【０００２】
従来のこの種扉のロック装置としては、例えば特許文献１に開示されているものが知られている。この特許文献１に開示されている扉のロック装置は、本体部とこの本体部の一側部を閉じる蓋板とにより縦長のケース部を構成し、このケース部の内部の作動部品収納空間内に作動部品としての昇降部材が収納され、前記昇降部材は前記本体部の上下方向中間部に軸支され本体部と蓋板で形成されるケース部の前端側の開口部より外部に露出する操作レバーの水平軸心周りでの回動により上下動するように構成され、前記本体部と蓋板で形成されるケース部の上端にはロック棒を嵌入させる開口部が形成されており、この開口部より挿入されるロック棒の下端を前記昇降部材の上端に結合させ、前記操作レバーならびにロック棒の取り付け部以外はケース部は密閉状態となっている。
【０００３】
そして、かかる特許文献１に開示されている扉のロック装置は、収納ボックスに設けられる観音開き式の先に閉じられる一方の扉側に埋め込まれ、前記操作レバーの操作により昇降部材を介してロック棒を一方の扉の上端より突出させ、ロック棒の上端を収納ボックス本体部の孔部に嵌入させるように構成されている。
【特許文献１】特開２００１−２２７２２４号公報
【発明の開示】
【発明が解決しようとする課題】
【０００４】
上記特許文献１に開示されている従来の扉のロック装置の構成では、ロック棒がケース部内の昇降部材に直結されていることから、ロック棒が扉から突出した状態で搬送する際、ロック棒の先端が地面などに接触して衝撃が加わると、ケース部内の部品が損傷するという問題があった。
【０００５】
本発明の目的は、このような課題を解決するものであり、ロック棒が扉から突出した状態で搬送する際、ロック棒の先端が地面などに接触しても大きな衝撃が加わることなく、部品が損傷することのない扉のロック装置を提供することにある。
【課題を解決するための手段】
【０００６】
本発明の請求項１に記載の扉のロック装置は、収納ボックスの前面開口部を開閉する観音開き式扉の先に閉じられる一方の扉の回動枢支側とは反対側の端面に埋め込まれる扉のロック装置で、この扉のロック装置は一方の扉の手の届く高さ位置に設けられる本体操作部と、この本体操作部に上下方向に昇降自在に取り付けられたスライド金具と、一方の扉の上端もしくは下端内側位置に設けられるアングルに上下方向に昇降自在に支持され前記アングル内に設けられたコイルばねにより上向きもしくは下向きに付勢されるロック棒と、このロック棒と前記スライド金具の上端もしくは下端を繋ぐワイヤーとから構成され、前記本体操作部にはロック棒を下降もしくは上昇させるべくスライド金具を下動もしくは上動させた状態においてスライド金具の動きを止める押しボタンを備え、この押しボタンを押すことによりスライド金具の停止保持が解除されるように構成したことを特徴とする。
【０００７】
請求項２に記載の扉のロック装置は、収納ボックスの前面開口部を開閉する観音開き式扉の先に閉じられる一方の扉の回動枢支側とは反対側の端面に埋め込まれる扉のロック装置で、この扉のロック装置は一方の扉の手の届く高さ位置に設けられる本体操作部と、この本体操作部に上下方向に昇降自在に取り付けられたスライド金具と、一方の扉の上端もしくは下端内側位置に設けられるアングルに上下方向に昇降自在に支持され前記アングル内に設けられたコイルばねにより上向きもしくは下向きに付勢されるロック棒とから構成され、このロック棒の下端もしくは上端をスライド金具の上端もしくは下端に対して摺動自在に貫通させ、このロック棒の下端に抜け止め手段を設け、前記本体操作部にはロック棒を下降もしくは上昇させるべくスライド金具を下動もしくは上動させた状態においてスライド金具の動きを止める押しボタンを備え、この押しボタンを押すことによりスライド金具の停止保持が解除されるように構成したことを特徴とする。
【発明の効果】
【０００８】
以上のように、本発明の扉のロック装置は、ロック棒の先端が地面などに接触しても本体操作部に大きな衝撃が加わることなく、部品が損傷することのない扉のロック装置を提供することができる。特に請求項１に記載の第１の発明の扉のロック装置によれば、ロック棒とスライド金具との間をワイヤーで繋ぐことにより長さの短いロック棒を用意するだけで良く、コストダウンを図ることができる。
【発明を実施するための最良の形態】
【０００９】
以下、本発明の実施の形態を、図面を用いて具体的に説明する。
先ず、図１〜図５に示す第１の実施の形態について説明すると、１は収納ボックス２の前面開口部を開閉する観音開き式扉３，４の先に閉じられる一方の扉３の回動枢支側とは反対側の端面に埋め込まれる扉のロック装置で、この扉のロック装置１は一方の扉３の高さ方向中間部より上側の手の届く高さ位置に設けられる本体操作部５と、この本体操作部５に上下方向に昇降自在に取り付けられたスライド金具６と、一方の扉３の上端内側に位置する匚状のアングル７に上下方向に昇降自在に支持されアングル７内に設けられたコイルばね８により上向きに付勢されるロック棒９と、このロック棒９とスライド金具６の上端の水平板部６ａを繋ぐワイヤー１０とから構成される。
【００１０】
次に、各部について詳細に述べると、前記本体操作部５は縦長で上下方向中央部から下端近傍部にかけて前後に貫通する縦長の開口部１１を有するとともに、この開口部１１の直ぐ上部に前後に貫通する丸孔１２を有している。そして、前記開口部１１の上端には前部から後部に向って湾曲状に下降傾斜しており、１３はその傾斜部である。前記丸孔１２は途中で段部が形成されて前側よりも後側が小径となっており、押しボタン１４の軸部１４ａにコイルばね１５を外嵌させた状態で前側の大径孔部１２ａより後側の小径孔部１２ｂに押しボタン１４の軸部１４ａを差し込み、小径孔部１２ｂより突出する軸部１４ａの先端小径部１４ｂに筒状の係止部材１６を外嵌させ、先端小径部１４ｂの先端に止め輪１７を取り付けることにより係止部材１６の抜け外れを防止している。前記係止部材１６の外径は前記小径孔部１２ｂの内径より大きく、丸孔１２に差し込まれた押しボタン１４が丸孔１２の前方に抜け外れないようになっている。また、丸孔１２に差し込まれた押しボタン１４は前記コイルばね１５により丸孔１２の前方に付勢されており、係止部材１６が小径孔部１２ｂの後端面に当接した状態において押しボタン１４の頭部１４ｃは大径孔部１２ａの前端面と面一状となるように構成されている。次に、前記スライド金具６は上下方向に向く板部６ｂの上端に水平板部６ａが折り曲げにより形成され、また板部６ｂの下端に前記水平板部６ａの折り曲げ方向とは逆方向に向く水平板部６ｃが折り曲げにより形成され、前記上端の水平板部６ａには前記ワイヤー１０の下端を挿通させる孔部１８が２箇所形成され、一方の孔部１８から他方の孔部１８にワイヤー１０の下端を挿通させてスリーブ１９で止めることにより上端の水平板部６ａにワイヤー１０の下端が繋がれる。このスライド金具６の上下方向に向く板部６ｂには上下方向中間部に丸孔２０が形成されているとともに、この丸孔２０から上下に延びる長孔２１が形成されている。この長孔２１の幅は丸孔２０の直径よりも小さく前記軸部１４ａの径よりも僅かに大きく形成されている。このスライド金具６は前記本体操作部５のほぼ上半分の背面に上下方向に向く板部６ｂが当接するとともに下端の水平板部６ｃが前記開口部１１内に位置し、スライド金具６が上昇したときに下端の水平板部６ｃが前記傾斜部１３下端に当接してスライド金具６の上昇が止まり、スライド金具６が下降したときに下端の水平板部６ｃが本体操作部５の開口部１１底部上に載り、この状態でコイルばね１５により付勢されている押しボタン１４に設けた前記係止部材１６がスライド金具６の丸孔２０に嵌り込むとともに小径孔部１２ｂの後端面に当接し、押しボタン１４の頭部１４ｃは前記大径孔部１２ａの前端面と面一状となる。ところで、前記本体操作部５の背面側には本体操作部５との間でスライド金具６をスライド可能に挟む支持板２２が本体操作部５にビス２３止めにより取り付けられている。２４はビス２３を螺入させるために本体操作部５の上下両端に形成されたねじ孔である。次に、前記ロック棒９は中心に上下方向に貫通するワイヤー挿通孔９ａを備え、このワイヤー挿通孔９ａに上方よりワイヤー１０を差し込んでいる。ワイヤー１０の上端にはワイヤー挿通孔９ａの上端に止まるようにボール状のストッパー１０ａが設けられている。そして、ロック棒９を上向きに付勢するコイルばね８はロック棒９の長さ方向中間部に設けられた止め輪２５に上端が当接し、止め輪２５がアングル７の上端板部７ａ下面に当接することと、コイルばね８の下端がアングル７の下端板部７ｂ上に載っていることによりロック棒９は上向きに付勢されている。このロック棒９の上向き付勢力がワイヤー１０を介してスライド金具６に伝わり、ロック棒９とスライド金具６が連動するように構成されている。つまり、ロック棒９がコイルばね８の付勢力によりアングル７から上方に大きく突出しているときはスライド金具６も上昇した状態にあり、スライド金具６を下降させることによりロック棒９もコイルばね８の付勢力に抗して下降する。
【００１１】
かかる構成の扉のロック装置は観音開き式扉３，４の先に閉じられる一方の扉３の回動枢支側とは反対側の端面内側に設けられるものであって、前記本体操作部５の丸孔１２の大径孔部１２ａおよび開口部１１が存在する前面および匚状のアングル７の上下方向に向く板部７ｃを一方の扉３の回動枢支側とは反対側の端面板部３ａの内側に向けて、本体操作部５を手の届く高さ位置に、アングル７を一方の扉３の上端位置にそれぞれ前記端面板部３ａの外側からビス止めにて取り付ける。２６はアングル７の上下方向に向く板部７ｃを前記端面板部３ａに固定するビス、２７は本体操作部５を前記ねじ孔２４の位置で前記端面板部３ａに固定するビスである。なお、本体操作部５の前記丸孔１２および開口部１１が形成されている面は前記ねじ孔２４が形成されている上下両端部に対して前記端面板部３ａの板厚分前方に突出しており、前記端面板部３ａに形成されている切り抜き孔３ｂに嵌り込んで外部に露出している。このように一方の扉３の回動枢支側とは反対側の端面板部３ａの内側に取り付けられる本体操作部５とアングル７との間の間隔は扉の上下方向の長さ（高さ）などによって必ずしも一定でなく、本体操作部５とアングル７との間の間隔に合うように本体操作部５とアングル７との間のワイヤー１０長さを予め設定しておく。かかる状態で閉じられた一方の扉３を開くときは前記本体操作部５の開口部１１に指を入れてスライド金具６の下端の水平板部６ｃを押し下げスライド金具６を下降させることによりワイヤー１０を介してロック棒９が下降し、ロック棒９の上端が収納ボックス２の上端の孔部２ａより抜け外れて一方の扉３を開くことができる。前記スライド金具６は下降することにより前記丸孔２０と前記押しボタン１５に設けた係止部材１６が合致してコイルばね１５の付勢力により係止部材１６が丸孔２０に嵌り込み、押しボタン１４は頭部１４ｃが前記大径孔部１２ａの前端面と面一状となるように前方に押し出される。この状態でスライド金具６の動きが止められ、ロック棒９の下降状態が保持されることになる。開かれた一方の扉３を閉じて閉塞状態をロックする場合は、一方の扉３が閉じられた状態で押しボタン１４を押すことにより係止部材１６が丸孔２０から抜け外れて、ロック棒９を上方へ付勢するコイルばね８によりスライド金具６と一緒にロック棒９が上昇する。これにより上昇したロック棒９の上端は一方の扉３の上端の孔部２８から突出して前記収納ボックス２の上端の孔部２ａに嵌り込み、一方の扉３の閉塞状態がロックされることになる。
【００１２】
以上述べた図面に示す実施の形態では扉の上部で閉塞状態がロックされるようになっているが、扉の下部もしくはその両方で閉塞状態をロックすることも可能である。つまり、扉の下部で閉塞状態をロックする場合は、扉のロック装置を上下逆に向けて扉に取り付ければ良く、その場合ロック棒９はコイルばね８により付勢されて下向きに突出するようになる。
【００１３】
この第１の実施の形態によれば、ロック棒９の先端が地面などに接触してもロック棒９とスライド金具６との間に介在されているワイヤー１０に弛みが生じるだけで、本体操作部５に大きな衝撃が加わることなく、部品が損傷することがない。
【００１４】
次に、図６〜図７に示す第２の実施の形態について説明すると、この第２の実施の形態はワイヤー１０を使用せずに長いロック棒９を使用し、ロック棒９の下端をスライド金具６の上端の水平板部６ａの丸孔２９に摺動自在に貫通させ、このロック棒９の下端に形成された雄ねじ部３０に水平板部６ａの下側で抜け止め手段としてナット３１を螺合させ、ナット３１が水平板部６ａの裏面に当接するように構成されている。他の構成は前記第１の実施の形態と同様である。
【００１５】
この第２の実施の形態においても、ロック棒９の先端が地面などに接触してもロック棒９はスライド金具６の孔に貫通して摺動する結果、スライド金具６を介して本体操作部５に大きな衝撃が加わることなく、部品が損傷することがない。
【図面の簡単な説明】
【００１６】
【図１】本発明の第１の実施の形態における扉のロック装置の全体斜視図である。
【図２】同扉のロック装置の側面図である。
【図３】同扉のロック装置の取り付け状態における断面図である。
【図４】同扉のロック装置を設けた収納ボックスのほぼ上半分の斜視図である。
【図５】同扉のロック装置を取り付けた扉を内面側から見た要部拡大斜視図である。
【図６】本発明の第２の実施の形態における扉のロック装置の全体斜視図である。
【図７】同扉のロック装置の断面図である。
【符号の説明】
【００１７】
１          扉のロック装置
２          収納ボックス
２ａ        孔部
３，４      観音開き式扉
３ａ        端面板部
３ｂ        切り抜き孔
５          本体操作部
６          スライド金具
６ａ        水平板部
６ｂ        上下方向に向く板部
６ｃ        水平板部
７          アングル
８          コイルばね
９          ロック棒
９ａ        ワイヤー挿通孔
１０          ワイヤー
１０ａ        ストッパー
１１          開口部
１２          丸孔
１２ａ        大径孔部
１２ｂ        小径孔部
１３          傾斜部
１４          押しボタン
１４ａ        軸部
１４ｂ        先端小径部
１４ｃ        頭部
１５          コイルばね
１６          係止部材
１７          止め輪
１８          孔部
１９          スリーブ
２０          丸孔
２１          長孔
２２          支持板
２３          ビス
２４          ねじ孔
２５          止め輪
２６，２７    ビス
２８          孔部
２９          丸孔
３０          雄ねじ部
３１          ナット
【図１】
2007327243.tif 000003
【図２】
2007327243.tif 000004
【図３】
2007327243.tif 000005
【図４】
2007327243.tif 000006
【図５】
2007327243.tif 000007
【図６】
2007327243.tif 000008
【図７】
2007327243.tif 000009